(57)【特許請求の範囲】
【請求項１】
流体用容器の上端部にクロージャーキャップを用いて取付けるポンプハウジングからなり、前記ポンプハウジングはその外端で大気に開口し、その内端域に弾性ピストンシールを備えるピストンと、該ピストンに対し外方への押圧力を付与するスプリングを内装したポンプ室を有するポンプシリンダーからなり、かつ該ポンプシリンダーの下方域で前記ポンプ室の外側位置に設けられた少くとも１つのガス抜き口を備え、前記ピストンは前記ポンプシリンダーの開口端とガス抜き口との間の連絡閉鎖用のベントシールを備えた手動小出しポンプにおいて、前記ポンプシリンダーの内面に前記ガス抜き口の開口部に隣接して、少くとも１つのテーパー付きリブを設け、前記ピストンをポンプシリンダー内に挿入する際にピストンシールが前記テーパー付きリブに乗り上げて前記ガス抜き口のシリンダー開口縁から離隔する構造となしたことを特徴とする手動小出しポンプ。
【請求項２】
前記ポンプシリンダーは前記ポンプ室の外側に深座ぐり部を有し、ベントシールが前記深座ぐり部の内面を摺接すごとくピストンが内挿され、前記ポンプ室と前記深座ぐりの間の転位部に前記ガス抜き口が配置されていることを特徴とする請求項１記載の手動小出しポンプ。
【請求項３】
前記テーパー付きリブは前記ガス抜き口の円周方向両側に設けた一対のテーパー付きリブからなることを特徴とする請求項１記載の手動小出しポンプ。
【請求項４】
テーパー付きリブをシリンダー内円周方向に一定の間隔を置いて３個配設し、両側のテーパー付きリブと中央のテーパー付きリブとの間にガス抜き口を分割して設けたことを特徴とする請求項１記載の手動小出しポンプ。
【発明の詳細な説明】
【０００１】
【発明の属する技術分野】
本発明はポンプシリンダー内を往復し、外周にピストンシールとベントシールを有するポンプピストンを備えたトリガー作動型手動小出しポンプに関するものである。
【０００２】
【従来の技術】
この種の手動小出しポンプは、流体用容器（製品容器）の上端部にクロージャーキャップを用いて取付けるポンプハウジングからなり、その構造は外端が大気に開口し、その内端域に弾性ピストンシール（パワーシェブロンともいう）を備えるピストンと、該ピストンに対し外方への押圧力を付与するスプリングを内装したポンプ室を有するポンプシリンダーからなり、かつ該ポンプシリンダーの下方域で前記ポンプ室の外側位置に設けられた少くとも１つのガス抜き口を備え、前記ピストンに前記ポンプシリンダーの開口端とガス抜き口との間の連絡閉鎖用のベントシール（ベントシェブロンともいう）が設けられ、前記ピストンシールとベントシールの間に環状ガス抜き室が形成された構造となしたものである。
【０００３】
このような構造の手動小出しポンプにおいて、ピストンの外周に設けられたピストンシールとベントシールは、ポンプシリンダーの内面に設けられたガス抜き口を跨いだ位置にあるため、このポンプ組立て工程時において、ポンプシリンダーの中腔にピストンを嵌合する際は、そのピストンシールを前記ガス抜き口を通過させなければならない。この嵌合工程中、ピストンシールがガス抜き口のシリンダー開口縁を摺動する際に当該シール部材に筋状の疵が付くことがある。このような損傷はたとえそれが小さくても、前記ピストンシールとポンプシリンダーの内壁面間の密封性に影響を及ぼし、シール部材に破損が生じたりするとピストンの動力工程中に加圧されるポンプ室から液体製品の好ましくない漏れを起こし、その液体製品がピストンシールとベントシールの間に形成された環状ガス抜き室に流入すると、ピストンの内側吸入排出行程中、ポンプ室からガス抜き室とガス抜き口を経て製品容器に漏れ戻り、次の戻り行程で、好ましくない空気を大気に一時的に開放されているガス抜き室を経てポンプ室に流入させることになり、当該ポンプの十分な量の液体をポンプ室に吸入させる能力を低下させ、ポンプ室に液体と空気の混合物を充満させる結果となる。したがって吸入排出を続けると、空気と液体をノズルオリフィスを通してスパッターさせる悪い噴霧パターンをもたらすことになる。
【０００４】
また、前記ピストンシールが最初の組立て嵌合中に破損した場合、ポンプに呼び水を差すに要する行程数が増大し、さらにはピストンシールの損傷の程度次第で、呼び水の必要が全く無いこともある。前記ピストンシールへの損傷が小さくてポンプの呼び水だけで済む場合、各々のピストン行程一回ごとの押出量は、液体がピストンシールを干渉して前記容器にガス抜き室とガス抜き口を経て戻るので予測以下の少量になる可能性が高い。
【０００５】
ピストンシールはシェブロンシールの形をとってもよいが、その場合ピストンの外壁面がポンプ室の対向する壁面と封止的に係合するようにその内周縁で僅かに内側方向に湾曲しながらシリンダー内腔へ嵌合される際、しばしばピストン外壁面が擦傷されるため好ましくない。
【０００６】
また鋭い縁のシェブロンシールを備えるものを用いる場合は、このシールがポンプ室の壁体をその外周縁で係合するよう構成できる。この設計はポンプ室の壁体がピストンの往復中の一層完全な引掻きを容易にして壁面がどのような種類の不適当な皮膜の僅かな付着から、あるいは部分的に乾燥した縮合物が完全になくなるよう維持できる。したがって、このシェブロンシールの場合は、ポンプ室壁をピストンの往復運動中に清浄にぬぐい取ることにより、ポンプシールとポンプ室壁の間の封止性を増大させる効果が得られる。
【０００７】
しかしながら、鋭い縁のシェブロンシールを備えたポンプシェブロンの場合は、そのシェブロンを有するピストンを組立中、ガス抜き口を通過する間の干渉のため破損をいっそう受け易いため、シェブロンのその周縁部の僅かな筋疵もしくは表面擦傷でさえもポンプ室壁とともに密封を破壊し、それにより液体の干渉を生ずるという問題があり、好ましくない。
【０００８】
【発明が解決しようとする課題】
本発明は、従来技術の上記問題点に鑑みなされたもので、ポンプハウジングの組立工程中においてピストンシールの損傷を防止し、ポンプ室壁との密封性を確保し、ポンプ室からの液体製品の漏洩を防止したポンプハウジングを備えた手動小出しポンプを提供することを目的とするものである。
【０００９】
【課題を解決するための手段】
本発明は、ポンプハウジングの組立工程中においてピストンの組立時にガス抜き口のシリンダー開口縁にピストンシールが接触しないように、ピストンシールをピストンの組立時にガス抜き口のシリンダー開口縁から離隔させる手段を設けたもので、その要旨は、流体用容器の上端部にクロージャーキャップを用いて取付けるポンプハウジングからなり、前記ポンプハウジングはその外端で大気に開口し、その内端域に弾性ピストンシールを備えるピストンと、該ピストンに対し外方への押圧力を付与するスプリングを内装したポンプ室を有するポンプシリンダーからなり、かつ該ポンプシリンダーの下方域で前記ポンプ室の外側位置に設けられた少くとも１つのガス抜き口を備え、前記ピストンは前記ポンプシリンダーの開口端とガス抜き口との間の連絡閉鎖用のベントシールを備えた手動小出しポンプにおいて、前記ポンプシリンダーの内面に前記ガス抜き口の開口部に隣接して、少くとも１つのテーパー付きリブを設け、前記ピストンをポンプシリンダー内に挿入する際にピストンシールが前記テーパー付きリブに乗り上げて前記ガス抜き口のシリンダー開口縁から離隔する構造となしたことを特徴とするものである。
また前記ポンプシリンダーは前記ポンプ室の外側に深座ぐり部を有し、ベントシールが前記深座ぐり部の内面を摺接すごとくピストンが内挿され、前記ポンプ室と前記深座ぐりの間の転位部に前記ガス抜き口が配置されていることを特徴とし、さらに前記テーパー付きリブは前記ガス抜き口の円周方向両側に設けた一対のテーパー付きリブからなることを特徴とするものである。またテーパー付きリブをシリンダー内円周方向に一定の間隔を置いて３個配設し、両側のテーパー付きリブと中央のテーパー付きリブとの間にガス抜き口を分割して設けることもできる。
【００１０】
【発明の実施の形態】
図１は本発明の一実施例を示す手動小出しポンプの一部破断側面図、図２は同上手動小出しポンプのポンプハウジングのピストンとシリンダーを一部破断して示す分解斜視図、図３は図２のイ−イ線上の縦断面図、図４はポンプシリンダー内にピストンを挿入組立中におけるガス抜き口部とピストンシールの部分を示す拡大断面図、図５は本発明の他の実施例を示すシリンダー部の一部破断斜視図、図６は本発明の別の実施例を示すシリンダー部の一部破断斜視図、図７はピストンシールの他の実施例を示す一部断面図、図８はピストンシールの別の実施例を示す一部断面図である。
【００１１】
図１に示す手動小出しポンプはトリガー作動型であって、小出しされる流体用容器（図示せず）のネックにクロージャーキャップ１１を有するポンプハウジング１０を備えている。このポンプハウジング１０はその外端部で大気に開口し、その内端域で手動による往復運動をさせるポンプピストン１４用のポンプ室１３を有するポンプシリンダー１２を備え、ポンプ室１３内にはピストン戻しスプリング１６が内装されている。前記ポンプピストン１４はポンプハウジング１０に丁番式に取付けられたトリガーレバー１５の手動操作時にそのポンプシリンダー１２の中腔の内側方向と外側方向に往復運動が可能で、その圧力行程中に前記戻しスプリング１６に抗して内側方向に移動するようになっている。ピストン戻しスプリング１６はピストンをそのピストン戻し行程中作業者によるトリガーレバーに加えられた力による緩和時にそのピストン１４の戻し行程中シリンダー中腔の外側方向にピストンを弾力的に押圧する作用を有する。またポンプシリンダー１２には、その下方域に設けたポンプ室１３の外側方向に配置されかつガス通路１８を経て流体用容器の内側と開口連絡するガス抜き口１７が設けられている。
【００１２】
前記ピストン１４は、ポンプシリンダー１２の開口端部とガス抜き口１７の間の連絡を閉鎖する環状ベントシール１９（もしくはシェブロンシール）を備え、その内端側に設けた環状のピストンシール２１（しくはシェブロンシール）と前記ベントシール１９との間に環状ガス抜き室２２が形成される構造となっている。ベントシール１９はガス抜き口１７の外側方向にあらゆる機能的に作用する位置にあり、ポンプ室１３の内側と図１に示されているようにピストンの最も外側の非吸入排出位置で封止的に係合するように構成されている。
【００１３】
ポンプシリンダー１２はポンプ室１３が画定されるシリンダー内腔の内側部分の外側方向にある深座ぐり２３からなり、ベントシール１９はこの深座ぐり２３の内側と係合するようになっている。なお、ポンプシリンダー１２の深座ぐり２３の内面には必要に応じて単数の縦リブもしくは複数のリブ２４が形成され、ポンプシリンダー１２の開口端から流入した空気がポンプシリンダー１２内面とベントシール１９との間を通りガス抜き口１７に到る通路がピストン１４の内側吸入排出行程中にできるように構成されている。前記ガス抜き口１７は内腔と前記深座ぐり２３の間の転位域２５に配置され、この転位域２５は図示されているように漸次外側方向に傾斜している。
【００１４】
本発明では、前記転位域２５に設けられたガス抜き口１７に隣接して両側に左右一対のテーパー付きリブ２９を設ける。単一のテーパー付きリブ２９の場合は、ガス抜き口１７の片側もしくは他方の側に極く接近させて配置する。この単数もしくは複数のテーパー付きリブ２９は、ピストンシール２１をガス抜き口１７のシリンダー開口端縁２６から離隔させるためにシリンダー外側方向に傾斜するテーパー付きとしている。すなわち、ポンプハウジング１０の組立工程中にポンプシリンダー１２内にピストン１４を挿入する工程においてピストンシール２１がテーパー付きリブ２９に乗り上げることによって、ガス抜き口１７のシリンダー開口端縁２６に接触しないようにするためである。
【００１５】
上記構成の手動小出しポンプにおいて、ポンプハウジング１０の組立てに際して、ピストン１４をポンプシリンダー１２の内腔に図２の矢印の方向へ最初に挿入する時に、ピストンシール２１は前記深座ぐり２３に沿って先ず摺動し前記転位域２５に到ると、そのシール外端面がシリンダー内腔の壁体としっかりと封止的に係合するまで収縮されて固定され、ポンプ室１３が形成される。この工程中、ピストンシール２１は前記転位域２５に設けられたテーパー付きリブ２９に乗り上げることによって、ガス抜き口１７のシリンダー開口端縁２６に接触せずにこのガス抜き口１７のシリンダー開口端縁２６を通過するので、該ピストンシール２１に筋状の疵や擦傷が付いたり、シールが摩耗するようなことはない。
【００１６】
また、図５、図６に示す実施例は、ピストンシール２１をガス抜き口１７のシリンダー開口端縁２６から離隔させる手段として、前記左右一対のテーパー付きリブ２９に加え、両側のテーパー付きリブ２９の間にさらにテーパー付きリブ３３を設けて３個構成とし、真ん中のテーパー付きリブ３３とその左右のテーパー付きリブ２９の間にガス抜き口１７を分割して設けた例である。この場合も、ピストン１４をポンプシリンダー１２内に挿入する際、ピストンシール２１は前記転位域２５に設けられた３個のテーパー付きリブ２９、３３に乗り上げることによって、２つに分割されたガス抜き口１７のシリンダー開口端縁２６に接触せずにこのガス抜き口１７のシリンダー開口端縁２６を通過するので、該ピストンシール２１に筋状の疵や擦傷が付いたり、シールが摩耗するようなことはない。
【００１７】
ところで、図７に示すピストンシール２１Ａは、その末端部２１Ａ−１が図示されているように湾曲してシリンダー内腔との接触がつくられるように内側方向にカールされて、シリンダー１２の内腔の壁体と係合していない構造となっている。したがって、本発明のテーパー付きリブ２９、３３のない従来のシリンダーの場合は、ポンプハウジング１０の組立工程中、この湾曲面はガス抜き口１７のシリンダー開口端縁２６と交差移動し、しばしば組立中に筋疵が入ったりあるいは擦傷される。このピストンシールはポンプハウジング１０の組立完成状態にある時は、組立工程中僅かといえども損傷を受けてしまっているので、どのような程度の確実性をもってしてもシリンダー内腔の壁体と封止的に係合することはできない。この破損はピストンシールとシリンダー内腔の間に要する密封作用からなる。
【００１８】
また図８に示すもう１つ別のピストンシール２１Ｂの場合は、組立て工程中その末端部２１Ｂ−１がガス抜き口１７のシリンダー開口端縁２６とのピストンシールの干渉のため破損したことがわかるように、外面２１Ｂ−２と屈曲性軟質リップシールの末端部２１Ｂ−１の交点により周縁部が画定されるようにつくられて、ピストン行程中シリンダー内腔の表面を清浄に拭取るよう鋭角をもたせて設計され、それによりどのような種類の皮膜もしくは残留物の蓄積の発生を防ぐとともに、ピストンシールとシリンダー内腔との間に要する密封作用が得られるようになっているが、このピストンシール２１Ｂの場合も、テーパー付きリブ２９、３３のない従来のシリンダーの場合は、ポンプハウジング１０の組立工程中、末端部２１Ｂ−１はガス抜き口１７のシリンダー開口端縁２６と交差移動することにより、しばしば組立中に筋状疵が入ったりあるいは擦傷される。
【００１９】
しかしながら、上記図７、図８に示すピストンシール２１Ａ、２１Ｂも、本発明のテーパー付きリブ２９、３３を有するシリンダーに適用した場合には、前記と同様、ピストンシール２１Ａ、２１Ｂはテーパー付きリブ２９、３３に乗り上げて移動するので、ガス抜き口１７のシリンダー開口端縁２６に接触して組立中に筋状疵が入ったりあるいは擦傷されるようなことはない。
【００２０】
なお、本発明は単数もしくは複数のガス抜き口が傾斜転位域に配置される内腔／深座ぐりを備えるポンプシリンダーへの組入れに限定されない。このシリンダーは図６に示されているようなストレート内腔と、単数もしくは複数のガス抜き口を図１に示されているポンプシリンダー１２の外側方向に配置して備えることもできる。
【００２１】
【発明の効果】
以上説明したごとく、本発明に係る手動小出しポンプは、テーパー付きリブをガス抜き口の片側もしくは両側に配設してピストンシールの一部分を嵌合工程中に転位域のガス抜き口から一時的に離隔させることができるので、スプレーヤーの性能にその後影響をおよぼすことのあるピストンシールの筋状疵もしくは擦傷の発生を防ぐことができる。また、ピストンシールの保全性はポンプハウジングと一緒に組立てられた後、保存され、また吸入排出操作中のポンプ室からの漏れの傾向は設置されるとガス抜き口との干渉による摩耗の発生を防ぐので最小限に止められる。さらに、パワーシェブロンの保存性の保存により、ポンプの呼び水の確実性が強化され、吸入排出操作中の噴霧の品質が改善される。
【図面の簡単な説明】
【図１】本発明の一実施例を示す手動小出しポンプの一部破断側面図である。
【図２】同上手動小出しポンプのポンプハウジングのピストンとシリンダーを一部破断して示す分解斜視図である。
【図３】図２のイ−イ線上の縦断面図である。
【図４】ポンプシリンダー内にピストンを挿入組立中におけるガス抜き口部とピストンシールの部分を示す拡大断面図である。
【図５】本発明の他の実施例を示すシリンダー部の一部破断斜視図である。
【図６】本発明の別の実施例を示すシリンダー部の一部破断斜視図である。
【図７】ピストンシールの他の実施例を示す一部断面図である。
【図８】ピストンシールの別の実施例を示す一部断面図である。
【符号の説明】
１０  ポンプハウジング
１１  クロージャーキャップ
１２  ポンプシリンダー
１３  ポンプ室
１４  ポンプピストン
１５  トリガーレバー
１６  ピストン戻しスプリング
１７  ガス抜き口
１８  ガス通路
１９  ベントシール
２１、２１Ａ、２１Ｂ  ピストンシール
２２  環状ガス抜き室
２３  深座ぐり
２４  リブ
２５  転位域
２６  シリンダー開口端縁
２９、３３  テーパー付きリブ
【図１】
0003552162.tif 000002
【図２】
0003552162.tif 000003
【図３】
0003552162.tif 000004
【図４】
0003552162.tif 000005
【図５】
0003552162.tif 000006
【図６】
0003552162.tif 000007
【図７】
0003552162.tif 000008
【図８】
0003552162.tif 000009